(57)【特許請求の範囲】
【請求項１】
予め作成された評価用コンテンツ制御ファイルに従って評価対象のコンテンツの再生モードを制御する映像再生用の制御信号を生成する評価データ収集制御装置と、
前記評価データ収集制御装置が生成した前記映像再生用の制御信号に従ってネットワークを介して複数の視聴者に前記コンテンツを視聴させ、前記コンテンツに対する前記視聴者毎の主観的評価の評価データを所定時に収集する評価センタ装置と、
予め設定された条件を保管するグループプロファイル記憶装置と、
すべての前記視聴者の中から前記条件に合致する視聴者のＩＤを抜き出して作成されたリアルグループを記憶する主観評価視聴者ＩＤ記憶装置と、
前記評価センタ装置が収集した前記評価データの中から前記リアルグループに属する前記視聴者の前記評価データを集計してリアルタイムグループ評価データとするグループ主観評価制御装置と、
前記グループ主観評価制御装置が集計した前記リアルタイムグループ評価データに基づいてグループ主観評価共有信号を生成し、前記リアルグループに属する前記視聴者宛てに出力するグループ主観評価共有信号生成装置と、
前記グループ主観評価共有信号生成装置が生成した前記グループ主観評価共有信号を受信して、前記コンテンツに対する前記条件に合致する前記視聴者の主観的評価の集計結果として前記リアルグループに属する前記視聴者に通知するグループ主観評価共有用アクチュエータと、
を備えるコンテンツ評価システム。
【請求項２】
前記評価センタ装置が収集した前記評価データを記憶する評価データ蓄積装置をさらに備えることを特徴とする請求項１に記載のコンテンツ評価システム。
【請求項３】
前記グループ主観評価制御装置は、前記評価データ蓄積装置が蓄積する過去の前記評価データの中から前記コンテンツに関して前記条件に合致する前記視聴者が評価した過去の前記評価データを集計してオフライングループ評価データとし、
前記グループ主観評価共有信号生成装置は、前記オフライングループ評価データも含めて前記グループ主観評価共有信号を生成することを特徴とする請求項２に記載のコンテンツ評価システム。
【請求項４】
前記グループ主観評価制御装置は、前記条件が複数設定されており、前記条件毎に前記評価データを集計し、
前記グループ主観評価共有用アクチュエータは、前記条件毎の前記評価データの集計結果をそれぞれ前記リアルグループに属する前記視聴者に通知することを特徴とする請求項１から３のいずれかに記載のコンテンツ評価システム。
【請求項５】
評価データ収集制御装置、評価センタ装置、グループプロファイル記憶装置、主観評価視聴者ＩＤ記憶装置、グループ主観評価制御装置、グループ主観評価共有信号生成装置、及びグループ主観評価共有用アクチュエータを備えるコンテンツ評価システムが行うコンテンツ評価方法であって、
前記評価データ収集制御装置が、予め作成された評価用コンテンツ制御ファイルに従って評価対象のコンテンツの再生モードを制御する映像再生用の制御信号を生成する評価データ収集制御手順と、
前記評価センタ装置が、前記評価データ収集制御手順で生成した前記映像再生用の制御信号に従ってネットワークを介して複数の視聴者に評価対象のコンテンツを視聴させ、前記コンテンツに対する前記視聴者毎の主観的評価の評価データを所定時に収集する評価データ収集手順と、
前記グループプロファイル記憶装置が、予め設定された条件を保管するグループプロファイル記憶手順と、
前記主観評価視聴者ＩＤ記憶装置が、すべての前記視聴者の中から前記条件に合致する視聴者のＩＤを抜き出して作成されたリアルグループを記憶する主観評価視聴者ＩＤ記憶手順と、
前記グループ主観評価制御装置が、前記評価データ収集手順で収集した前記評価データの中から前記リアルグループに属する前記視聴者の前記評価データを集計してリアルタイムグループ評価データとするグループ主観評価手順と、
前記グループ主観評価共有信号生成装置が、前記グループ主観評価手順で集計した前記リアルタイムグループ評価データに基づいてグループ主観評価共有信号を生成し、前記リアルグループに属する前記視聴者宛てに出力するグループ主観評価共有信号生成手順と、
前記グループ主観評価共有用アクチュエータが、前記グループ主観評価共有信号生成手順で生成した前記グループ主観評価共有信号を受信して、前記コンテンツに対する前記条件に合致する前記視聴者の主観的評価の集計結果として前記リアルグループに属する前記視聴者に通知するグループ主観評価共有手順と、
を有するコンテンツ評価方法。
【請求項６】
前記コンテンツ評価システムが評価データ蓄積装置をさらに備えており、
前記評価データ蓄積装置が、前記評価データ収集手順で収集した前記評価データを記憶する評価データ蓄積手順をさらに行うことを特徴とする請求項５に記載のコンテンツ評価方法。
【請求項７】
前記グループ主観評価手順では、前記評価データ蓄積手順で蓄積する過去の前記評価データの中から前記コンテンツに関して前記条件に合致する前記視聴者が評価した過去の前記評価データを集計してオフライングループ評価データとし、
前記グループ主観評価共有信号生成手順では、前記オフライングループ評価データも含めて前記グループ主観評価共有信号を生成することを特徴とする請求項６に記載のコンテンツ評価方法。
【請求項８】
前記グループ主観評価手順では、前記条件が複数設定されており、前記条件毎に前記評価データを集計し、
前記グループ主観評価共有手順では、前記条件毎の前記評価データの集計結果をそれぞれ前記リアルグループに属する前記視聴者に通知することを特徴とする請求項５から７のいずれかに記載のコンテンツ評価方法。
【発明の詳細な説明】
【技術分野】
【０００１】
本発明は、コンテンツ評価システム及び方法に係り、特に、映像コンテンツの制作の最終的な段階で、通しの全体評価を行う際に用いるためのコンテンツ評価システム及び方法に関する。
【背景技術】
【０００２】
時間軸のある映像等のコンテンツの制作において、プロデューサなどが、制作段階の最終編集の直前に、映像の通しの主観評価を実施したいと考えることがある。
【０００３】
映像の制作工程の最終段階で、映像作品としての主観評価を、ストーリーの進展の時間軸に従って、一般視聴者を用いた試写会の反応と同様の主観的評価を、映像の進行時間変化のデータとして測定することができれば、最終的に映像作品の筋立てや、演出を修正し作品の質を高め、売り上げを向上させることができる。
【０００４】
従来は、このような通しの映像評価は、試写会などを開催し、視聴者が映像を視聴して、その結果をアンケートなどで集計する方法が実施されている。従来の試写会などでは、視聴者が映像の評価を集中して行うことを可能とするためには、途中経過で細かくアンケートをリアルタイムで行うことはできないため、映像視聴の終了後に一括して質問をすることとなる。このため、従来の評価では映像の面白さに関する時間的な変化を、映像の進行に同期して細かく把握することは実現が難しかった。
【０００５】
一方、既に公開された映画や映像のコンテンツの評価サイトとしては、様々な評価を組み合わせてコンテンツ評価（面白いかどうか、観るに値する、または観るに値しないかどうか）を点数で付けるサイトが評判になっている。代表的なものにＲｏｔｔｅｎ  Ｔｏｍａｔｏｅｓがある（例えば、非特許文献１を参照。）。
【０００６】
Ｒｏｔｔｅｎ  Ｔｏｍａｔｏｅｓサイトは、それ自体、映画の評論をするわけではない。世の中の映画評論を集め、ポジティブ、ネガティブの割合を独自の判断を交えて集計する。６０％以上がポジティブなら「Ｆｒｅｓｈ（新鮮）」と認定される。５９％以下は「Ｒｏｔｔｅｎ（つまらない）」となる。独自の判断という部分でサイトの主観や意志が入る。集められた評論には、要点となるコメントとともにリンクが張られている。そこをクリックすると評論の公表されたメディア自身のウェブサイトで全文を読むことができる。メディアからみれば、Ｒｏｔｔｅｎ  Ｔｏｍａｔｏｅｓを通してビューアーが増えるというメリットがあり、Ｒｏｔｔｅｎ  Ｔｏｍａｔｏｅｓは、評論を書くライターを雇うコストなしにコンテンツを集めることができる。
【０００７】
Ｒｏｔｔｅｎ  Ｔｏｍａｔｏｅｓでの判定は各評論を集計した結果であり、ここで「Ｆｒｅｓｈ」と判定された映画は概して完成度が高く、そのままヒットするケースが多いといわれている。ただし、完成した映画が公開された後にのみ有効な、エンドユーザのための情報である。
【０００８】
同様に評論を集計する後発のＭｅｔａｃｒｉｔｉｃ（例えば、非特許文献２を参照。）あるいはＭｏｖｉｅ  ｒｅｖｉｅｗ  Ｉｎｔｅｌｌｉｇｅｎｃｅ（例えば、非特許文献３を参照。）というサイトもある。
【先行技術文献】
【非特許文献】
【０００９】
【非特許文献１】ｈｔｔｐ：／／ｗｗｗ．ｒｏｔｔｅｎｔｏｍａｔｏｅｓ．ｃｏｍ／
【非特許文献２】ｈｔｔｐ：／／ｗｗｗ．ｍｅｔａｃｒｉｔｉｃ．ｃｏｍ／
【非特許文献３】ｈｔｔｐ：／／ｍｏｖｉｅｒｅｖｉｅｗｉｎｔｅｌｌｉｇｅｎｃｅ．ｃｏｍ／
【発明の概要】
【発明が解決しようとする課題】
【００１０】
しかし、時間軸のある映像等のコンテンツの制作時に、映像の通しの主観評価を実施したい場合、視聴者の映像に対する“感動”や“おもしろさの程度”などの反応を時間的な変化データとして測定するため、またはそのようなデータを自然な形で被験者が入力するためには、何らかのデバイスと連動したシステム的な仕組みが必要となる。
【００１１】
例えば、特願２０１２−１２３６４９“コンテンツ評価システム及び方法”は、このような機能を実現するために、ネットワーク経由で参加する一般の視聴者が個人として“感動した”という感情、または“嫌悪する感情”に対して、視聴者本人が自然に入力する方法、ならびに、視聴者本人の好みに従って入力方法を選ぶことができる仕組みを提供している。当該発明は、コンテンツの“面白さ”に関する視聴者の反応を、視聴者一人一人から、それぞれの自然な入力方法で測定して記録することを可能としている。
【００１２】
一方、実際に一般の人が映画館のような環境で映画を楽しむような場合、または、家庭で家族とともに、映像を楽しむ場合などを想定すると、視聴者の主観評価が、同じ映像を視聴している周囲の視聴者の反応にも左右される要素があることは自明である。
【００１３】
主観評価を時間軸に沿って実施する場合に、あるプロファイルに従って集められた複数の視聴者を同一の場所に集めて、同時に映像を評価してもらうことにより、映画館や家庭で、仲間または家族と一緒に映像作品を楽しむ状態に近い評価が行える。しかし、実際には、試写会においては、複数の視聴者のプロファイルを望みのプロファイルにそろえて、同じ時間に集めなくてはならないため、多くの評価を得ることには困難がある。それをネットワークで行う仕組みは有効である。
【００１４】
しかし、ネットワークで主観評価を行う仕組みである、特願２０１２−１２３６４９“コンテンツ評価システム及び方法”は、上述のような周囲の視聴者の反応を想定して、グループで主観評価を行う仕組みを提供していない。すなわち、グループでのコンテンツ評価にはネットワークで行うことが困難という第一課題があった。
【００１５】
そこで、本発明は、上記課題を解決するために、ネットワークで同一のコンテンツ評価に個々に参加している視聴者に、コンテンツ鑑賞を妨げることなくグループで鑑賞している感覚を与えることができ、その際のコンテンツに対する感情を測定することができるコンテンツ評価システム及びその方法を提供することを第一の目的とする。
【００１６】
また、グループ鑑賞の状態でコンテンツの評価を行う際に、できるだけ多くのグループプロファイルを用意したいという評価側の要求がある。しかし、実際には試写会を開催して様々なプロファイルの視聴者グループを同じ場所に集めることは困難という第二課題がある。なお、このプロファイルとは、視聴者の性別、年齢、居住地域等である。
【００１７】
そこで、本発明は、上記課題を解決するために、さまざまなプロファイルのグループでの主観評価を、極めて高い自由度で実施することが可能なコンテンツ評価システム及びその方法を提供することを第二の目的とする。
【課題を解決するための手段】
【００１８】
本発明は、上記目的を達成するために、同一のコンテンツを鑑賞する他の視聴者の反応を、鑑賞の集中力を妨げることを極力少なくする形で各視聴者に提示してグループ鑑賞の感覚を与えた状態で、視聴者の感情を測定することとした。なお、本明細書でコンテンツとは、視聴者に評価される対象の映画や映像等の総称を意味する。
【００１９】
具体的には、本発明に係るコンテンツ評価システムは、
ネットワークを介して複数の視聴者に評価対象のコンテンツを視聴させ、前記コンテンツに対する前記視聴者毎の主観的評価の評価データを所定時に収集する評価センタ装置と、
設定された任意の条件に基づき前記視聴者の一部を抽出してリアルグループを形成し、前記評価センタ装置が収集した前記評価データの中から前記リアルグループに属する前記視聴者の前記評価データを集計してリアルタイムグループ評価データとするグループ主観評価制御装置と、
前記グループ主観評価制御装置が集計した前記リアルタイムグループ評価データに基づいてグループ主観評価共有信号を生成して出力するグループ主観評価共有信号生成装置と、
前記グループ主観評価共有信号生成装置が生成した前記グループ主観評価共有信号を受信して、前記コンテンツに対する前記条件に合致する前記視聴者の主観的評価の集計結果として前記リアルグループに属する前記視聴者に通知するグループ主観評価共有用アクチュエータと、
を備える。
【００２０】
また、本発明に係るコンテンツ評価方法は、
ネットワークを介して複数の視聴者に評価対象のコンテンツを視聴させ、前記コンテンツに対する前記視聴者毎の主観的評価の評価データを所定時に収集する評価データ収集手順と、
設定された任意の条件に基づき前記視聴者の一部を抽出してリアルグループを形成し、前記評価データ収集手順で収集した前記評価データの中から前記リアルグループに属する前記視聴者の前記評価データを集計してリアルタイムグループ評価データとするグループ主観評価手順と、
前記グループ主観評価手順で集計した前記リアルタイムグループ評価データに基づいてグループ主観評価共有信号を生成して出力するグループ主観評価共有信号生成手順と、
前記グループ主観評価共有信号生成手順で生成した前記グループ主観評価共有信号を受信して、前記コンテンツに対する前記条件に合致する前記視聴者の主観的評価の集計結果として前記リアルグループに属する前記視聴者に通知するグループ主観評価共有手順と、
を行う。
【００２１】
本発明は、コンテンツの評価ポイント毎に他の視聴者の感情の集計結果を鑑賞の集中力を妨げることを極力少なくする形で各視聴者に提示することで視聴者にグループ鑑賞をしている感覚を与えることができる。そして、その状態で視聴者がコンテンツに対する感情を発信することでグループ鑑賞時の各視聴者の主観評価を収集することができる。
【００２２】
従って、本発明は、ネットワークで同一のコンテンツ評価に個々に参加している視聴者に、コンテンツ鑑賞を妨げることなくグループで鑑賞している感覚を与えることができ、その際のコンテンツに対する感情を測定することができるコンテンツ評価システム及びその方法を提供することができる。
【００２３】
本発明に係るコンテンツ評価システムは、前記評価センタ装置が収集した前記評価データを記憶する評価データ蓄積装置をさらに備える。
【００２４】
また、本発明に係るコンテンツ評価方法は、前記評価データ収集手順で収集した前記評価データを記憶する評価データ蓄積手順をさらに行う。
【００２５】
本発明に係るコンテンツ評価システムの前記グループ主観評価制御装置は、前記評価データ蓄積装置が蓄積する過去の前記評価データの中から前記コンテンツに関して前記条件に合致する前記視聴者が評価した過去の前記評価データを集計してオフライングループ評価データとし、前記グループ主観評価共有信号生成装置は、前記オフライングループ評価データも含めて前記グループ主観評価共有信号を生成することを特徴とする。
【００２６】
また、本発明に係るコンテンツ評価方法の前記グループ主観評価手順では、前記評価データ蓄積手順で蓄積する過去の前記評価データの中から前記コンテンツに関して前記条件に合致する前記視聴者が評価した過去の前記評価データを集計してオフライングループ評価データとし、前記グループ主観評価共有信号生成手順では、前記オフライングループ評価データも含めて前記グループ主観評価共有信号を生成することを特徴とする。
【００２７】
評価データを蓄積しておくことで、過去に行った評価データに基づく他の視聴者の感情の集計結果を提示することができる。例えば、コンテンツの再生時に評価ポイントに到達したとき、過去の評価データを提示することで、最初に感情を発信する視聴者にもグループ鑑賞をしている感覚を与えることができる。
【００２８】
本発明に係るコンテンツ評価システムの前記グループ主観評価制御装置は、前記条件が複数設定されており、前記条件毎に前記評価データを集計し、前記グループ主観評価共有用アクチュエータは、前記条件毎の前記評価データの集計結果をそれぞれ前記リアルグループに属する前記視聴者に通知することを特徴とする。
【００２９】
また、本発明に係るコンテンツ評価方法の前記グループ主観評価手順では、前記条件が複数設定されており、前記条件毎に前記評価データを集計し、前記グループ主観評価共有手順では、前記条件毎の前記評価データの集計結果をそれぞれ前記リアルグループに属する前記視聴者に通知することを特徴とする。
【００３０】
本発明は、視聴者のグループプロファイルを複数設定することができる。従って、本発明は、さまざまなプロファイルのグループでの主観評価を、極めて高い自由度で実施することが可能なコンテンツ評価システム及びその方法を提供することができる。
【発明の効果】
【００３１】
本発明は、ネットワークで同一のコンテンツ評価に個々に参加している視聴者に、コンテンツ鑑賞を妨げることなくグループで鑑賞している感覚を与えることができ、その際のコンテンツに対する感情を測定することができるコンテンツ評価システム及びその方法を提供することができる。
【００３２】
また、本発明は、さまざまなプロファイルのグループでの主観評価を、極めて高い自由度で実施することが可能なコンテンツ評価システム及びその方法を提供することができる。
【図面の簡単な説明】
【００３３】
【図１】本発明に関連するコンテンツ評価システムを説明する図である。
【図２】平滑化の概念図である。
【図３】本発明に係るコンテンツ評価システムを説明する図である。
【図４】本発明に係るコンテンツ評価方法を説明する図である。
【発明を実施するための形態】
【００３４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３５】
本発明は、２０１２年０５月３１日に出願された、特願２０１２−１２３６４９“コンテンツ評価システム及び方法”の構成要素（ａ）〜（ｅ）に、新たな構成要素（ｆ）〜（ｌ）が付加される。
図１は、特願２０１２−１２３６４９に記載されるコンテンツ評価システムを説明する図である。本実施形態では評価装置３００として説明する。図１に示すように評価装置３００は、
（ｂ）評価データ収集・制御装置１００、
（ｃ）評価用コンテンツ制御ファイル２、
（ｄ）評価映像ファイル３、
（ｅ）評価センター装置２００
を構成要素としている。（ａ）評価データ入力デバイス１は評価装置３００に接続する外部接続装置である。これらの説明は後述する。
【００３６】
本発明では、さらに、新たに以下の構成要素が必要となる。
（ｆ）グループ主観評価制御装置２１０
（ｇ）グループ主観評価共有信号生成装置２２０
（ｈ）グループ主観評価共有用アクチュエータ２３０
（ｉ）過去の主観評価データを記憶する評価データ蓄積装置２４０
（ｊ）グループプロファイルデータを記憶する記憶装置２５０
（ｋ）グループ主観評価に参加している視聴者ＩＤ（同一コンテンツを過去に評価した視聴者を含む）を記憶する記憶装置２６０
（ｌ）評価に用いるコンテンツのＩＤを記憶する記憶装置２７０
【００３７】
図３は、本実施形態のコンテンツ評価システム３０１を説明する図である。図３は、コンテンツ評価システム３０１と評価装置３００との関係を説明する。コンテンツ評価システム３０１は、
ネットワークを介して複数の視聴者に評価対象のコンテンツを視聴させ、前記コンテンツに対する前記視聴者毎の主観的評価の評価データを所定時に収集する評価装置３００内の評価センタ装置２００と、
設定された任意の条件に基づき前記視聴者の一部を抽出してリアルグループを形成し、評価センタ装置２００が収集した前記評価データの中から前記リアルグループに属する前記視聴者の前記評価データを集計してリアルタイムグループ評価データとするグループ主観評価制御装置２１０と、
グループ主観評価制御装置２１０が集計した前記リアルタイムグループ評価データに基づいてグループ主観評価共有信号を生成して出力するグループ主観評価共有信号生成装置２２０と、
グループ主観評価共有信号生成装置２２０が生成した前記グループ主観評価共有信号を受信して、前記コンテンツに対する前記条件に合致する前記視聴者の主観的評価の集計結果として前記リアルグループに属する前記視聴者に通知するグループ主観評価共有用アクチュエータ２３０と、
を備える。
【００３８】
コンテンツ評価システム３０１は、評価センタ装置２００が収集した前記評価データを記憶する評価データ蓄積装置２４０をさらに備える。そして、グループ主観評価制御装置２１０は、評価データ蓄積装置２４０が蓄積する過去の前記評価データの中から前記コンテンツに関して前記条件に合致する前記視聴者が評価した過去の前記評価データを集計してオフライングループ評価データとし、グループ主観評価共有信号生成装置２２０は、前記オフライングループ評価データも含めて前記グループ主観評価共有信号を生成する。さらに、グループ主観評価制御装置２１０は、前記条件が複数設定されており、前記条件毎に前記評価データを集計し、グループ主観評価共有用アクチュエータ２３０は、前記条件毎の前記評価データの集計結果をそれぞれ前記リアルグループに属する前記視聴者に通知する。
【００３９】
図４は、本実施形態のコンテンツ評価方法を説明する図である。本実施形態のコンテンツ評価方法は、
ネットワークを介して複数の視聴者に評価対象のコンテンツを視聴させ、前記コンテンツに対する前記視聴者毎の主観的評価の評価データを所定時に収集する評価データ収集手順Ｓ０１と、
設定された任意の条件に基づき前記視聴者の一部を抽出してリアルグループを形成し、評価データ収集手順Ｓ０１で収集した前記評価データの中から前記リアルグループに属する前記視聴者の前記評価データを集計してリアルタイムグループ評価データとするグループ主観評価手順Ｓ０２と、
グループ主観評価手順Ｓ０２で集計した前記リアルタイムグループ評価データに基づいてグループ主観評価共有信号を生成して出力するグループ主観評価共有信号生成手順Ｓ０３と、
グループ主観評価共有信号生成手順Ｓ０３で生成した前記グループ主観評価共有信号を受信して、前記コンテンツに対する前記条件に合致する前記視聴者の主観的評価の集計結果として前記リアルグループに属する前記視聴者に通知するグループ主観評価共有手順Ｓ０４と、
を行う。
【００４０】
本実施形態のコンテンツ評価方法は、評価データ収集手順Ｓ０１で収集した前記評価データを記憶する評価データ蓄積手順Ｓ０５をさらに行う。そして、グループ主観評価手順Ｓ０２では、評価データ蓄積手順Ｓ０５で蓄積する過去の前記評価データの中から前記コンテンツに関して前記条件に合致する前記視聴者が評価した過去の前記評価データを集計してオフライングループ評価データとし、グループ主観評価共有信号生成手順Ｓ０３では、前記オフライングループ評価データも含めて前記グループ主観評価共有信号を生成する。さらに、グループ主観評価手順Ｓ０２では、前記条件が複数設定されており、前記条件毎に前記評価データを集計し、グループ主観評価共有手順Ｓ０４では、前記条件毎の前記評価データの集計結果をそれぞれ前記リアルグループに属する前記視聴者に通知する。
【００４１】
図３及び図４を用いてコンテンツ評価システム３０１の大まかな動作を説明する。評価センター装置２００がグループ評価対象の映像を再生指示することでネット試写が開始される。グループ評価の場合、評価センター装置２００は、現在、評価に参加している視聴者がコンテンツを同じ時間に視聴するように映像再生を制御する必要がある。参加している複数の視聴者が測定（評価）を始めると、参加しているすべての視聴者の評価データは評価センター装置２００に送信される。
【００４２】
グループ主観評価制御装置２１０は、あらかじめ、主観評価に参加しているすべての視聴者の中から設定された年齢や性別の条件に合致する視聴者のＩＤを抜き出し、グループ主観評価視聴者ＩＤを作成する。
【００４３】
グループ主観評価制御装置２１０は、グループ主観評価視聴者ＩＤを持つリアルタイム評価データを評価センター装置２００から受け取り、それらをリアルタイムグループ評価データとしてグループ主観評価共有信号生成装置２２０に送る。
【００４４】
一方、グループ主観評価制御装置２１０は、当該映像について過去に評価した視聴者の内、前記条件に合致する視聴者の評価データを、過去のデータベースから検索する。そして、グループ主観評価制御装置２１０は、それらをオフライングループ評価データとして、当該映像の上映時間に合わせて、リアルタイムグループ評価データと同期させてグループ主観評価共有信号生成装置２２０に送る。
【００４５】
その結果、グループ主観評価共有信号生成装置２２０はそれらを変換して、グループ主観評価共有信号として、現在、映像を評価している視聴者の内、グループ評価視聴者ＩＤの端末のアクチュエータに送信する。
【００４６】
各構成要素とその作用についてさらに詳細に説明する。
【００４７】
（ｆ）グループ主観評価制御装置２１０
グループ主観評価制御装置２１０は評価センター装置２００側にあり、複数の視聴者の主観評価を共有するために必要な制御を行うため、以下の方法と手段を有している。
【００４８】
記憶装置２５０は、評価を共有するグループの年齢、性別、その他のプロファイルを指定するデータ（グループプロファイル）を記憶しており、グループ主観評価制御装置２１０は、グループプロファイルを参照して、コンテンツのグループ主観評価に参加する視聴者を特定し主観評価を共有できるように準備する。なお、グループ主観評価制御装置２１０は、設定された任意の条件に従い、グループプロファイルを生成し、記憶装置２５０に記憶させておく。また、グループ主観評価制御装置２１０は、同一コンテンツを過去に主観評価した視聴者についても特定し、データを読み出せるように準備する。より具体的に記述すると以下のようになる。
【００４９】
グループ主観評価制御装置２１０は、評価対象コンテンツのネットワーク上での上映セッション（ネット試写と呼ぶ）に参加している視聴者の識別番号（主観評価視聴者ＩＤ）のうち、指定されたグループプロファイルに合致する視聴者のＩＤ（グループ主観評価視聴者ＩＤ）を取得する。グループ主観評価制御装置２１０は、グループ主観評価視聴者ＩＤを記憶装置２６０に記憶させておく。
【００５０】
さらに、グループ主観評価制御装置２１０は、グループ主観評価視聴者ＩＤを参照し、評価センター装置２００から受け取る全てのリアルタイム評価データから、指定されたグループプロファイルに合致する視聴者のリアルタイム評価データを抜き取り、リアルタイムグループ評価データとする。なお、リアルタイム評価データにはネット試写に参加している視聴者の主観評価視聴者ＩＤが付与されており、グループ主観評価制御装置２１０は、グループ主観評価視聴者ＩＤを参照することで、指定されたグループプロファイルのリアルタイム評価データを抜き取ることができる。
上述のようにリアルタイムグループ評価データとは、ネット試写に実際に参加している視聴者の中で指定されたグループプロファイルに属する視聴者が行った主観評価データである。
【００５１】
また、グループ主観評価制御装置２１０は、指定されたグループプロファイルに合致する視聴者で、現在行われているネット試写には参加していないが、同一の映像作品の主観評価を過去に行ったことがある視聴者の過去の評価データを評価データ蓄積装置２４０から読み出し、オフライングループ評価データとする。
【００５２】
グループ主観評価制御装置２１０は、リアルタイムグループ評価データとオフライングループ評価データとをグループ主観評価共有信号生成装置２２０に転送する。
【００５３】
（ｇ）グループ主観評価共有信号生成装置２２０
他人の主観評価を共有するためには、当該視聴者が行う映像の評価を邪魔しない形で、他の視聴者の評価データを直観的に提示しなくてはならない。グループ主観評価共有信号生成装置２２０は、そのために多くの視聴者の評価データを適切にまとめて提示するための変換処理を行う処理装置（またはソフトウェアモジュール）である。グループ主観評価共有信号生成装置２２０は、視聴者に共有すべき主観評価情報を提示するためのグループ主観評価共有用アクチュエータ２３０の応答特性を考慮する。例えば、グループ主観評価共有信号生成装置２２０は、グループ主観評価共有用アクチュエータ２３０が同時に提示できる情報量の範囲を考え、他の視聴者の評価データが同時に生起した場合に、それらの信号の発生時間を一定値遅らせて、連続した信号に変換する処理を行う。上記処理の他の例として、視聴者で同時に生起する評価データ数に上限を設けてもよい。これらの処理内容は実施例に示す。
【００５４】
（ｈ）グループ主観評価共有用アクチュエータ２３０
本実施形態のコンテンツ評価システム３０１は、視聴者が映像を鑑賞しながら主観評価を入力する際に、同じ映像作品を鑑賞している他の視聴者の反応（すなわちおもしろいというポジティブ信号とおもしろくないというネガティブ信号）を、主観評価を妨げない形で視聴者に提示し、グループ内の反応を共有している状態を再現する必要がある。視聴者の映像への集中力を妨げないために、コンテンツ評価システム３０１は、他の視聴者の反応を映像を鑑賞している画面へ直接的に提示することは避ける必要がある。
【００５５】
また、グループ主観評価共有用アクチュエータ２３０は、グループ主観評価共有信号に基づいて、少なくともポジティブとネガティブの２種類の情報と、その発生タイミングを提示する必要がある。さらに、グループ主観評価共有用アクチュエータ２３０は、他の複数の視聴者の主観評価情報を同時に提示し、すなわち多くの人が反応したのか、余り反応がないのか、などが直観的にわかり、かつ全体の傾向が直観的にわかるように提示する必要がある。
【００５６】
上記の条件を満たすためには、たとえば評価対象映像の画質や音の品質に影響を与えないように、評価データ入力デバイス１に付加的に他の視聴者の反応を表示させることが望ましい。手段としては、単純な光の点滅で色によりポジティブとネガティブを表現するなどの単純な光の提示、または素子の振動で周波数によりポジティブとネガティブを区別するなどの方法を用いることができる。グループ主観評価共有用アクチュエータ２３０は、これらを実現することができる。
【００５７】
（ｉ）評価データ蓄積装置２４０
評価データ蓄積装置２４０は、評価センタ装置２００が出力するリアルタイム評価データを蓄積する。また、オフライングループ評価データは、評価データ蓄積装置２４０に記憶されている評価データの内、指定されたグループプロファイルに属する視聴者で、過去に同一の映像作品を評価した視聴者の評価データから生成される。
【００５８】
（ｊ）記憶装置２５０
グループプロファイルデータは、評価を共有するグループの年齢、性別、その他のグループプロファイルを指定するデータである。例えば、視聴者にコンテンツ評価をしてもらいたい者が、評価対象の年齢や性別等の条件を予め設定することで、グループ主観評価制御装置２１０がグループプロファイルデータを生成し、記憶装置２５０がこれを記憶する。
【００５９】
（ｋ）記憶装置２６０
グループ主観評価制御装置２１０は、ネット試写に参加しているすべての視聴者の中からグループプロファイルデータに合致する視聴者のＩＤを抜き出し、主観評価視聴者ＩＤを作成する。記憶装置２６０は作成された主観評価視聴者ＩＤを記憶する。なお、主観評価視聴者ＩＤは、同一コンテンツを過去に主観評価した視聴者を含む。
【００６０】
（ｌ）記憶装置２７０
コンテンツＩＤは、グループ主観評価の対象となるコンテンツを指定するＩＤである。記憶装置２７０がコンテンツＩＤを記憶する。
【００６１】
本実施形態のコンテンツ評価システム３０１及びそのコンテンツ評価方法は、同一のコンテンツを鑑賞する他の視聴者の反応を、対象とする視聴者の鑑賞の集中力を妨げることを極力少なくする形で提示する。これにより、コンテンツ評価システム３０１及びそのコンテンツ評価方法は、コンテンツをグループ鑑賞している状態作り出すことができる。そして、コンテンツ評価システム３０１及びそのコンテンツ評価方法は、その状態で、感動、わくわく、おもしろくない、あるいは嫌悪という視聴者の感情を入力またはその感情を測定して記録することでグループ鑑賞におけるコンテンツ評価をネットワークで実現できる。
【００６２】
また、本実施形態のコンテンツ評価システム３０１及びそのコンテンツ評価方法は、評価対象の映像作品の主観評価をグループ鑑賞した状態で実施する際に、できるだけ多くのグループプロファイルを用意したいという評価側の要求に応えることができる。すなわち、コンテンツ評価システム３０１及びそのコンテンツ評価方法は、さまざまなプロファイルのグループ鑑賞における主観評価を、極めて高い自由度で実施することができる。
【００６３】
（実施例）
（１）主観評価データの構成
コンテンツ評価システム３０１及びそのコンテンツ評価方法における主観評価データは、視聴者が評価データ入力デバイス１を用いて、主観で入力したものであり、主観評価の対象である映像作品の進行時間を基準にして、２種類のイベント発生時刻のデータで構成される。たとえば、視聴者は、“おもしろい”と感じた時に、評価データ入力デバイス１のポジティブ側のスイッチを押し、“おもしろくない”と感じた時に、ネガティブ側のスイッチを押すことを求められる。主観評価データは、これらの２種類のイベントの発生時間として記録される。
【００６４】
（２）グループ主観評価共有用アクチュエータ２３０
グループでのコンテンツ評価をネットワークで実施するためには、視聴者が、同一の映像作品を視聴する他の視聴者の評価データを、視聴中に直観的に共有する必要がある。すなわち、視聴者が映像を視聴しつつ、自らの映像評価を妨げない形で他の視聴者の評価を感じ、グループ内の反応を共有しているような状態に近づける必要がある。もちろん、直接的に映像を鑑賞している画面への情報提示は避ける必要がある。また、視聴者へ通知する信号は、少なくともポジティブとネガティブの２種類の情報、その発生タイミング（評価タイミング）、複数の他の視聴者の主観評価情報を同時に提示する必要がある。特に、他の視聴者の主観評価情報については全体の傾向が直観的にわかるように表示する必要がある。
【００６５】
他の視聴者の主観評価情報の通知方法としては、大きく二つの方法がある。ひとつは、単純な単色光の提示である。複雑な映像やグラフィックは、視聴者の映像視聴の妨げとなるため、単純な発光を用いる。他の方法は、評価用入力デバイスの振動による提示である。
【００６６】
より具体的には、たとえば評価データ入力デバイス１にライトを付属させて、単純な光の点滅で色によりポジティブとネガティブを表現することで視聴者に直観的に他の視聴者の反応を感じさせることができる。素子の振動の場合、評価データ入力デバイス１のバイブレーションを用いることで、映像作品の音楽やセリフなどの視聴を妨げないように、他の視聴者の反応を認識させることができる。また、振動の周波数または、振動のパターンで、ポジティブとネガティブを区別することができる。
【００６７】
続いてグループ主観評価共有用アクチュエータ２３０の機能を詳細に説明する。以下に、評価データ入力デバイス１がライトを付属しており、単純な単色光の発光を用いて他の視聴者の評価データを通知する場合で説明する。
【００６８】
評価データ入力デバイス１は、ポジティブ感情の押しボタンと、ネガティブ感情の押しボタンを有し、これらのボタンは異なる色の半透明のプラスチック製の半球で覆われており、内部に発光ダイオードが設置してある。
【００６９】
グループ主観評価共有用アクチュエータ２３０にはグループ主観評価共有信号が２チャネルで入り、それらの信号に応じてポジティブ側の発光ダイオードまたはネガティブ側の発光ダイオードが点灯する。信号は独立なので、同時に点灯することもあり得る。グループ主観評価共有用アクチュエータ２３０はグループ主観評価共有信号をパルスとして受けると、滑らかな波形の電気信号を発生して、発光ダイオードを点灯させる。
【００７０】
（３）グループ主観評価共有信号生成装置２２０の処理
多くの視聴者が同じ時間にポジティブを押している場合、それらの評価データはグループ主観評価制御装置２１０がリアルタイム評価データに変換し、グループ主観評価共有信号生成装置２２０に伝えられる。グループ主観評価共有信号生成装置２２０は、主観評価共有信号生成のためのソフトウェアでリアルタイム評価データを処理し、約１００ｍｓｅｃから２５０ｍｓｅｃ程度時間を遅らせた連続したグループ主観評価共有信号に変換する。グループ主観評価共有信号は、グループ主観評価共有用アクチュエータ２３０で発光ダイオードを点灯させる信号に変換される。その結果、評価データ入力デバイス１の発光ダイオードが連続して点灯する。なお、グループ主観評価共有信号生成装置２２０は、視聴者の主観がポジティブとネガティブに分かれたときは、多い方の主観に基づいてグループ主観評価共有信号を生成してもよい。
【００７１】
多くの視聴者がポジティブ反応をしたとき、発光ダイオードの点灯時間が長くなるため、視聴者は、他の多くの視聴者がポジティブ反応していることを直観的に認識できる。すなわち、視聴者は単純な点灯の様子で直感的に他の視聴者の反応を共有することができる。
【００７２】
グループ主観評価共有信号生成装置２２０は、グループ主観評価共有信号を生成する際に、同時に生起するポジティブ又はネガティブのイベントの最大値を設けることを適用する。たとえば同時に反応した視聴者数が数十名を超える場合は、点灯時間の継続は数秒以上の連続になるため、次のシーンなどに関する新たな評価が反映されなくなる恐れがある。このため、グループ主観評価共有信号生成装置２２０は、ある上限を設けて、それ以上のイベントを無視するようにしてもよい。
【００７３】
グループ主観評価共有信号生成装置２２０は、リアルタイムではない過去の評価データの中で、同一映像作品、且つ同一グループプロファイルの視聴者の評価データ（オフライングループ評価データ）を指定して、それを評価セッションの時間進行にリアルタイムグループ評価データと一緒に合わせて、視聴者に送ることができる。これにより、コンテンツ評価システム３０１は、過去の評価データをグループ評価に利用することができる。
【００７４】
（効果）
コンテンツ評価システム３０１は、ネットワークを通じて個別に映像の主観評価を行う場合においても、複数の他の視聴者の反応を直観的に共有して、グループで視聴した際の主観評価に近い評価を、コンテンツの時間軸に応じて実施することができる。また、コンテンツ評価システム３０１は、複数のグループプロファイルを設定することで、１回のネット試写で複数のグループの評価結果を得ることができる。
【００７５】
（付記）
図１及び図２を用いて、（ａ）評価データ入力デバイス１、（ｂ）評価データ収集・制御装置１００、（ｃ）評価用コンテンツ制御ファイル２、（ｄ）評価映像ファイル３、（ｅ）評価センター装置２００の動作について説明する。
【００７６】
（ａ）評価データ入力デバイス１
評価データ入力デバイス１は、視聴者のコンテンツに対する“面白さ”の印象ならびにそれに関連する測定データを、視聴者のコンテンツ視聴の集中を妨げること無く、リアルタイムで入力するものである。その機能の第１の特徴は、コンテンツ視聴中に、視聴者自身の、コンテンツへの集中を途切れさせること無く、自然な形でリアルタイムに評価データが取得できる機能を具備していることである。さらに第２の特徴は、“おもしろい”（ポジティブ）ならびに“嫌い”（ネガティブ）を、視聴者のコンテンツ視聴の集中力を妨げない形で、自然な形で入力される機能を、具備していることである。
【００７７】
視聴者のコンテンツ視聴への集中を妨げずに“印象”を入力する仕組みとしては、人間の手の中に長時間入れても違和感が無い形で、いくつかの入力方法の選択肢の中からユーザが自ら選ぶ機能と、単純なアクションで自然に入力できるような機構を装備することで実現できる。
【００７８】
評価データ収集制御装置１００と評価データ入力デバイス１は、何らかの通信手段（有線、無線、光学、レーザー、赤外線など）で接続されている。評価データ入力デバイス１からのデータは、上記の通信手段で、評価データ収集制御装置１００へリアルタイムで転送される。
【００７９】
（ｂ）評価データ収集制御装置１００
評価データ収集制御装置１００は、評価対象となるコンテンツの経過時間を管理し、その再生時間に同期して、評価データ入力デバイス１からの評価データを収集する。収集した評価データは、そのままリアルタイムで評価センター装置２００にネットワークを介して伝送される。あるいは、評価データ収集制御装置１００が評価データを処理し、ファイルとして保管してもよい。
【００８０】
評価データ収集制御装置１００は、コンテンツの構造を分析したデータで構成される評価用コンテンツ制御ファイル２を用いて、データの平滑化の時定数を適応的に変化させることで、コンテンツの構造に適した評価を可能とする。
【００８１】
具体的には、評価データ収集制御装置１００は、評価データ入力デバイス１から得られた評価データに対し、評価用コンテンツ制御ファイル２の時間同期などのコンテンツの制御信号に基づいて、データの平滑化の時定数を適応的に変化させることで、コンテンツの構造に適した評価が可能となる。平滑化とは、例えば、図２に示すように、映像の変化が殆どないシーンについては、早送りや間引きなどを行い、再生時間を調整することである。
【００８２】
評価データ収集制御装置１００では、評価用コンテンツ制御ファイル２を参照することにより、評価データ入力デバイス１に対して時間同期信号を送出し、コンテンツの再生の経過時間を管理し、評価データを収集する機能を有する。また、評価データ収集制御装置１００は、評価データ入力デバイス１から取得した評価データについて、評価用コンテンツ制御ファイル２を参照して、評価映像ファイル３のコンテンツに対する平滑化を行い、当該平滑化に対応する映像再生用の制御信号を評価センタ装置２００に送出する。これにより、評価センタ装置２００は、再生のモードを制御することができる。例えば、コンテンツ再生を、最初から最後まで通しで行うだけでなく、評価用コンテンツ制御ファイル２のシナリオ情報に基づいて特定のシーンを視聴者に評価させる場合などに対応できる。
【００８３】
評価データ収集制御装置１００は、評価データ入力デバイス１のそれぞれのボタンが押された時の意味を、視聴者個人の好みによって定義できる、評価信号変換ファイル（書き換え可能なテーブル）を備える。評価する際の入力ボタンの種類や、組み合わせや、入力パターンを選択し、視聴者が、ストレスなく自然に、コンテンツ評価の印象を入力することを可能とする。
【００８４】
評価データ収集制御装置１００は、さらに、評価データ入力デバイス１の状態を監視して、コンテンツを提示する制御を行うことができる。たとえば、視聴者が評価データ入力デバイス１を、手に持っている状態であることを監視し、その間だけコンテンツを連続的に再生する機能などの制御機能を有することができる。また、評価データ収集制御装置１００におけるコンテンツ再生は、複数の映像再生モードを有し、この映像再生モードは、評価センタ装置２００又は視聴者自らによって制御することができる。たとえば、映像再生においては、評価センタ装置２００の制御で、コンテンツ再生開始時間、経過時間、終了時間をすべて制御するモードで再生することも可能であり、または、それぞれの視聴者の都合で、視聴者が自らのタイミングでコンテンツ再生を開始し、制御することもできる。
【００８５】
評価データ収集制御装置１００は、さらに、評価センター装置２００側で作成した管理データ（評価用コンテンツ制御ファイル２）を受け取り、それを用いて、視聴中のコンテンツの評価について、必要に応じて視聴者に提示する機能を実現できる。これにより、コンテンツの再生中に、適切なタイミングで、視聴者に評価を促すリマインドを行い、評価測定デバイスの入力データの入力を促し、適切なタイミングで取得することができる。
【００８６】
また、ネットワーク接続で用いる評価データ収集システムにおいては、再生したコンテンツは当該システムには保存されない機能を有する。
【００８７】
（ｃ）評価映像ファイル３
評価映像ファイル３は、評価対象のコンテンツであり、例えば映像を上映するための映像ファイルである。評価映像ファイル３は、評価センター装置２００からダウンロードするか、またはリアルタイムでストリーム配信される。
【００８８】
（ｄ）評価用コンテンツ制御ファイル２
評価用コンテンツ制御ファイル２は、評価対象コンテンツについて、制作時のシナリオ情報及び演出用のシーン構成情報などに基づいて、あらかじめ作成された制御用ファイルである。
【００８９】
評価データ収集制御装置１００は、評価用コンテンツ制御ファイル２を用いることで、評価データの処理において、データの平滑化の時定数を適応的に変化させることができる。コンテンツ評価システム３０１は、視聴者にコンテンツの構造に適した評価をさせることが可能となる。
【００９０】
評価センタ装置２００内の映像再生システムは、評価用コンテンツ制御ファイル２によって、再生のモードを制御することができる。たとえば、コンテンツ再生を、最初から最後まで通しで行うだけでなく、コンテンツ評価用制御ファイルのシナリオ情報に基づいて特定のシーンのみを評価することもできる。
【００９１】
また、評価センタ装置２００内の映像再生システムは、コンテンツ評価用制御ファイル２を用いて、視聴者に、コンテンツのチャプター構造や評価タイミングを気づかせるなど、最低限の頻度の自然な評価リマインドを効果的に提示する等の補助的な制御も実行できる。
【００９２】
（ｅ）映像再生システム
映像再生システムは、評価用コンテンツを再生するプレイヤーである。映像再生システムは、評価センタ装置２００に内蔵される。映像再生システムは、コンテンツを通しで見ることができるモードと、指定されたチャプターごとに見るモードに対応できる。映像再生システムは、評価用コンテンツ制御ファイル２に対応した、コンテンツのチャプター構造や、評価に関する情報を視聴者に提示できる。
【産業上の利用可能性】
【００９３】
本発明は、映画、テレビなどの映像コンテンツのみでなく、ゲーム、ミュージカル、その他のエンターテインメント分野の評価に応用可能である。
【符号の説明】
【００９４】
１：評価データ入力デバイス
２：評価用コンテンツ制御ファイル
３：評価映像ファイル
１００：評価データ収集制御装置
２００：評価センタ装置
２１０：グループ主観評価制御装置
２２０：グループ主観評価共有信号生成装置
２３０：グループ主観評価共有用アクチュエータ
２４０：過去の主観評価データを記憶する評価データ蓄積装置
２５０：グループプロファイルデータを記憶する記憶装置
２６０：視聴者ＩＤを記憶する記憶装置
２７０：評価対象のコンテンツのＩＤを記憶する記憶装置
【図１】
0006002096.tif 000002
【図２】
0006002096.tif 000003
【図３】
0006002096.tif 000004
【図４】
0006002096.tif 000005